(57)【要約】【課題】微小気泡水処理機の提供。【解決手段】本考案の微小気泡水処理機は、モーター、進出水口座、圧力筒、及び、高酸素溶解機構からなる。モーターは輸水管路により進水口、及び、圧力筒に連接され、輸水管路、或いは、ブローオフ管上に設置された磁化器により水を軟化、活性化、磁化する目的を達成する。また、高酸素溶解機構の導流管内部に内径が縮小する縮減部を有し、縮減部下方は一環周が階段状の導水ブロックを設置し、縮減部により水流を瞬間加速して導水ブロックに衝突させ、導水ブロックは水流を連続衝突の方式で前進させ、水流と気泡が更に細くなり、水中の酸素量を増加させる。【選択図】    図３
0003125083.tif 000002
【実用新案登録請求の範囲】
【請求項１】
微小気泡水処理機であって、少なくとも、
輸水管路により圧力筒に連接されるモーターと、
前記輸水管路の酸素供給管路上に設置される空気制御バルブと、
進出水口座と、
高酸素溶解機構を連接する前記圧力筒と、
中空の導流管を有する高圧溶解機構と、
からなり、
前記モーターにより前記進出水口座から前記圧力筒内に水を送り、前記酸素供給管路に設置された前記空気制御バルブは外界の空気を水中に混入して前記圧力筒内の水は高圧により高酸素状態になると共に、気泡を生成し、前記出水管路から気泡を含み、高圧状態の水を前記高酸素溶解機構に輸送して、水流と気泡を更に細小にして排出することを特徴とする微小気泡水処理機。
【請求項２】
前記導流管内に縮減部を設置することを特徴とする請求項１に記載の微小気泡水処理機。
【請求項３】
前記ブローオフ管は複数の間隔を隔てた孔道を有することを特徴とする請求項１に記載の微小気泡水処理機。
【請求項４】
前記ブローオフ管の内壁は段差部を有することを特徴とする請求項１に記載の微小気泡水処理機。
【請求項５】
前記進出水口座の進水口下方にフィルターを有することを特徴とする請求項１に記載の微小気泡水処理機。
【請求項６】
前記進出水口座は進水口と出水口を有することを特徴とする請求項１に記載の微小気泡水処理機。
【請求項７】
前記空気制御バルブは進気口と出気口を有することを特徴とする請求項１に記載の微小気泡水処理機。
【請求項８】
前記空気制御バルブは針バルブを有することを特徴とする請求項１に記載の微小気泡水処理機。
【請求項９】
前記空気制御バルブはモーターを接設することを特徴とする請求項１に記載の微小気泡水処理機。
【考案の詳細な説明】
【技術分野】
【０００１】
本考案は微小気泡水処理機 に関し、詳細には、水を軟化、活性化、磁化し、酸素溶解量を増加させる微小気泡水処理機に関する。
【背景技術】
【０００２】
公知の微小気泡水処理機１は図１で示されるように、モーター１１、圧力筒１２、高酸素溶解機構１３からなる。
【０００３】
モーター１１は、輸水管路１１１により圧力筒１２に連接され、輸水管路１１１上に酸素供給管路１１２を有する。
【０００４】
圧力筒１２は筒体で、圧力筒１２の上方に、ブローオフバルブ１２１、及び、圧力表１２２を設け、圧力筒１２のもう一側に出水管路１２３を有し、出水管路１２３は高酸素溶解機構１３を連接する。
【０００５】
高酸素溶解機構１３は、図２で示されるように、主に、中空の導流管１３１の一側にブローオフ管１３２を接設し、導流管１３１内部上側に分水環１３３を固設し、分水環１３３上に環状排列を呈し、且つ、孔径が大きい分流孔１３３１を有し、且つ、導流管１３１は分水環１３３の下方で大きい内径であり、二つの異なる内径の交接箇所に、環面１３１１を形成する。この他、環面１３１１の下方に導水片１３４、及び、螺棒１３５を有し、導水片１３４は螺棒１３５と相抵し、螺棒１３５の一端は導流管１３１底側の螺孔箇所に螺設されるとともに、導流管１３１の外に突出し、螺棒１３５を旋転させて上下移動することにより、導水片１３４がそれに伴って上下に短距離シフトする。
【０００６】
公知の微小気泡水処理機１は実施時、モーター１１を浴槽内に置き、電源を起動し、モーター１１は浴槽内の水を輸水管路１１１から圧力筒１２内に抽送し、輸水管路１１１上の酸素供給管路１１２は外気の空気を水中に混入し、空気と水は圧力筒１２内で混合され、圧力筒１２内の水は高圧により、酸素を水中に溶入して高酸素状態を生成するとともに、気泡を生成し、この時、導水片３４が環面１３１１を離れ、間隔を隔てた開放状になり、導水片１３４と環面１３１１の間隔の大小を利用して、水流の流量を調整する。気泡を含有し、且つ、高圧状態の水が導流管１３１に流入した後、まず、分水環１３３の分流孔１３３１により、水流を数個の細い水流に分割し、数個の細い水流は導水片１３４と環面１３１１のギャップを通過し、チャンネルが小さくなる下、更に、細い水流に区分する。同時に、二回の分流下で、水中の気泡が更に小さくなり、ブローオフ管１３２により高酸素で気泡を含有して浴槽内に排入され、前述の動作を循環させる。
【０００７】
公知の微小気泡水処理機１は入浴時、上述の構造により人体上の垢や角質を水中に含まれる微小気泡上に付着させて美容、保養の効果を達成するが、高酸素溶解機構１３の分水環１３３の分水孔１３３１の孔径は大きく、数も少ない上、導水片１３４と環面１３１１のギャップを通過する時、直線形式で通過するので、水流と気泡の微細化効果に限りがあり、水の酸素含有量と垢を落とす功能に影響する。この他、微小気泡水処理機１は気泡を精製する単一の功能しかなく、その他の付加機能がないので、改善の必要がある。
【考案の開示】
【考案が解決しようとする課題】
【０００８】
本考案の目的は、モーター、進出水口座、圧力筒、及び、高酸素溶解機構からなる微小気泡水処理機を提供し、モーターは輸水管路により進出水口座の進水口、及び、圧力筒に連接され、高酸素溶解機構はブローオフバルブを有し、バルブ下方は進出水口座の出水口に連接され、水は進出水口座の出水口から浴槽に排出され、輸水管路上に磁化器を設置することにより水を軟化、活性化、磁化する目的を達成することにある。
【０００９】
本考案のもう一つの目的は、モーター、進出水口座、圧力筒、及び、高酸素溶解機構からなる微小気泡水処理機を提供し、高酸素溶解機構の導流管内部に内径が縮小する縮減部を有し、縮減部下方は一環周が階段状の導水ブロックを設置し、縮減部により水流を瞬間加速して導水ブロックに衝突させ、導水ブロックは水流を連続衝突の方式で前進させ、水流と気泡が更に細くなり、水中の酸素量を増加させることである。
【課題を解決するための手段】
【００１０】
本考案の微小気泡水処理機は、モーター、進出水口座、圧力筒、及び、高酸素溶解機構からなる。モーターは輸水管路により進出水口座の進水口、及び、圧力筒に連接され、高酸素溶解機構はブローオフバルブを有し、バルブ下方は進出水口座の出水口に連接され、水は進出水口座の出水口から浴槽に排出され、輸水管路上に磁化器を設置することにより水を軟化、活性化、磁化する。
【考案の効果】
【００１１】
本考案の微小気泡水処理機 により、水を軟化、活性化、磁化し、酸素溶解量を増加させることができる。      
【考案を実施するための最良の形態】
【００１２】
まず、図３は本考案の微小気泡水処理機２を示す図で、モーター３、進出水口座４、圧力筒５、及び、高酸素溶解機構６からなる
【００１３】
モーター３は、一端が輸水管路３１により圧力筒４内部に連接され、輸水管路３１上に酸素供給管路３２を有する。酸素供給管路上に空気制御バルブ３３を有し、空気制御バルブ３３は進気口３３１と出気口３３２を有する。出気口３３２は酸素供給管路３２と相設され、空気制御バルブ３３内に針バルブ３３３を有し、針バルブ３３３外端の連軸器３３４と減速モーター３３５の旋転軸３３５１を連接する。輸水管路３１は圧力筒４の入水口３１１上に磁化器７を設置し、磁化器７内に磁石を有する。モーター３のもう一端は輸水管路３１により進出水口座４の進水口４１に連接される。
【００１４】
進出水口座４は進水口４１と出水口４２を有し、進出水口座４の進水口４１下方にフィルター４３を設置する。
【００１５】
圧力筒５は筒体で、圧力筒５の上方にブローオフバルブ５１と圧力表５２を有し、圧力筒５のもう一側は出水管路５３を有し、出水管路５３は高酸素溶解機構６を連接する。
【００１６】
高酸素溶解機構６は、図４で示されるように、中空の導流管６１の一側辺にブローオフ管６２を接設し、導流管６１はブローオフ管６２上方は内径が小さく、縮減部６１１を形成する。縮減部６１１下方はブローオフ管６２上方に一環周が階段状の導水ブロック６２１を設置し、導水ブロック６２１中央に入水口６２２を設ける。導水ブロッ６２１の下方は、複数の間隔が隔てられた孔道６２３を呈し、孔道６２３下方に凸環６２４を有し、凸環６２４は導流管６１の内壁に抵接し、凸環６２４内壁に内径が拡大する段差部６２５を形成する。
【００１７】
本考案の微小気泡水処理機２は応用時、進出水口座４を浴槽に置き、電源を起動し、モーター３が進出水口座４の進水口４１から浴槽内の水を進出水口座４のフィルター４３を経て輸水管路３１から圧力筒５内に送る。酸素供給管路３２上に設置された空気制御バルブ３３は外界の空気を水中に混入し、空気制御バルブ３３内の針バルブ３３３により酸素供給管路３２に入る空気量を調整する。空気と水が圧力筒５内で混合され、水流は輸水管路３１から圧力筒５に輸送される時、入水口３１１の磁化器７を経過して、圧力筒５内の水を磁化する。この時、圧力筒５内の水は高圧により酸素を水中に溶入して高酸素溶解状態になるとともに気泡を生成して、その後、出水管路５３により気泡を含み、高圧状態の水が高酸素溶解機構６に輸送され、気泡を有する水が導流管６１の縮減部６１１を流経し、図５で示されるように、磁化後の水流が導流管６１の縮減部６１１により、水流を瞬間加速して通過させ、加速後の水流は導水ブロック６２１に衝突し、導水ブロック６２１の環面は階段状で、磁化後の高圧細小水流と気泡が通過時、連続した衝突動作を生じ、連続衝突下で、小さかった水流が更に小さくなる。水流の一部が導水ブロック６２１の入水口６２２を経てブローオフ管６２に進入し、一部の水流は導水ブロック６２１に衝突した後、孔道６２３を経てブローオフ管６２内に進入し、孔道６２３下方は凸環６２４を有し、且つ、凸環６２４の内壁は内径が拡大する段差部６２５を形成するので、これにより、進入した水が加速する下、段差部６２５を経て細小の水流に拡散され、ブローオフ管６２から管路により高酸素で気泡を含有して進出水口座４の出水口４２に排入し、更に、出水口４２から浴槽内に排出され、前述の動作を循環する。
【図面の簡単な説明】
【００１８】
【図１】公知の微小気泡水処理機を示す図である。
【図２】公知の高酸素溶解機構を示す図である。
【図３】本考案の微小気泡水処理機を示す図である。
【図４】本考案の高酸素溶解機構を示す図である。
【図５】本考案の高酸素溶解機構の動作を示す図である。
【符号の説明】
【００１９】
１        微小気泡水処理器
１１      モーター
１１１    輸水管路
１１２    酸素供給管路
１２      圧力筒
１２１    ブローオフバルブ
１２２    圧力表
１３１    導流管
１３１１  環面
１３２    ブローオフ管
２        微小気泡水処理機
３        モーター
３１      輸水管路
３１１    入水口
３２      酸素供給管路
３３      空気制御バルブ
３３１    進気口
３３２    出気口
３３３    針バルブ
３３４    連軸器
３３５    モーター
３３５１  旋転軸
４        進出水口座
４１      進水口
４２      出水口
４３    フィルター
５      圧力筒
５１    ブローオフバルブ
５２    圧力表
５３    出水管路
６      高酸素溶解機構
６１    導流管
６１１  縮減部
６２    ブローオフ管
６２１  導水ブロック
６２２  入水口
６２３  孔道
６２４  凸環
６２５  段差部
【図１】
0003125083.tif 000003
【図２】
0003125083.tif 000004
【図３】
0003125083.tif 000005
【図４】
0003125083.tif 000006
【図５】
0003125083.tif 000007